(57)【特許請求の範囲】
【請求項１】
情報記録媒体に記録されている圧縮オーディオデータ及び非圧縮オーディオデータを再生する再生部を備えた情報記録媒体再生装置において、
非圧縮オーディオデータのトラックナンバーを表示する第１の表示領域、非圧縮オーディオデータの再生時間の分の値を表示する第２の表示領域、非圧縮オーディオデータの再生時間の秒の値を表示する第３の表示領域及び非圧縮オーディオデータのフレームの値を表示する第４の表示領域を備えた表示部と、
前記再生部が再生したオーディオデータが圧縮オーディオデータであるかまたは非圧縮オーディオデータであるかを判別する判別部とを有し、
前記判別部が圧縮オーディオデータであると判別した場合、前記表示部は前記第１の表示領域及び前記第２の表示領域に圧縮オーディオデータのトラックナンバーを表示し、前記第３の表示領域に圧縮オーディオデータの再生時間の分の値を表示し、前記第４の表示領域に圧縮オーディオデータの再生時間の秒の値を表示することを特徴とする情報記録媒体再生装置。
【請求項２】
請求項１記載の情報記録媒体再生装置において、
前記判別部が圧縮オーディオデータであると判別した場合、前記表示部は、前記再生部が再生しているオーディオデータが圧縮オーディオデータであることを示す表示をすることを特徴とする情報記録媒体再生装置。
【発明の詳細な説明】
【０００１】
【発明の属する分野】
本発明は、情報記録媒体に記録されている圧縮オーディオデータ及び非圧縮オーディオデータを再生する情報記録媒体再生装置に関する。
【０００２】
【従来の技術】
CD-DA（Compact Disc-Digital Audio）、CD-R（Compact Disc-Recordable）及びCD-RW（Compact Disc-ReWritable）等の光ディスクは、内周から外周に向かって、リードイン領域、プログラム領域、リードアウト領域を備えている。リードイン領域内のTOC（Table Of Contents）領域に記録されているTOC情報には、プログラム領域に記録されている各トラックのトラックナンバー及び各トラックの再生開始位置と再生終了位置の絶対時間（分、秒、フレーム）を示す目次情報等が記録されている。CDプレーヤ等の情報記録媒体再生装置は、目次情報を再生することにより、CDプレーヤの表示部にトラックナンバー及び再生時間（分、秒、フレーム）を表示することができる。
【０００３】
また、データ圧縮技術として、MP３（MPEG Audio Layer-3）等がある。MP３等のデータ圧縮技術では、元のオーディオデータの音質を殆ど劣化させることなく、データ量を約１０分の１まで圧縮することができる。圧縮オーディオデータは、コンピュータを用いてCD-RやCD-RW等の光ディスクにファイルとして記録することができ、例えば、MP３圧縮技術対応のCDプレ−ヤにより再生することができる。
【０００４】
【発明が解決しようとする課題】
例えば、ＭＰ３圧縮技術によりオーディオデータを圧縮すると、１枚のCD-RやCD-RW等に約１０枚分のCD-DAのオーディオデータを記録することができる。DJ（Disc Jockey）にとって、圧縮オーディオデータを記録したCD-R等を用いれば、多くのＣＤを持ち運ぶ必要がない。そのため、圧縮オーディオデータを記録したCD-R等を再生できるDJ用CDプレーヤが望まれている。しかし、１枚のCD-DAに記録することができるトラック数である最大９９トラックよりも、１枚のCD-R等に記録した圧縮オーディオデータのトラック数が多くなることがある。従来のCDプレ−ヤのような、２桁でトラックナンバーを表示する表示部を備えている再生装置の場合、CD-R等に記録された圧縮オーディオデータを再生すると、表示部の桁数が足らないことがあった。
【０００５】
この問題を解決するために、３桁以上のトラックナンバーを表示することができる表示部を装備することが考えられるが、桁数の増加に伴い表示部の大きさが変わり、CDプレーヤ全体のデザインを変更しなければならない場合もあった。既存の表示部を利用できないと、再生装置の製造コストが高くなる虞があった。
【０００６】
また、DJ用CDプレーヤがCD-R等に記録された圧縮オーディオデータを再生する場合、ブロック単位でデータを伸張処理してメモリに記憶するため、メモリに記憶されたオーディオデータの連続性を維持することが困難になる。そのため、非圧縮オーディオデータを再生する場合に使用できる機能（例えば、トラックの任意の位置から再生を始めると瞬時に音声が出力するホットスタート機能やスクラッチ再生機能等）が、圧縮オーディオデータを再生する場合に、使用することができなくなる虞がある。このため、DJ用CDプレーヤを使用するユーザに対して、現在、再生しているオーディオデータが非圧縮オーディオデータか圧縮オーディオデータかを知らせる必要がある。
【０００７】
本発明は、上記の課題を解決するためになされたものであり、圧縮オーディオデータが記録されたCD-RやCD-RW等の情報記録媒体を再生できる情報記録媒体再生装置において、トラック数の表示桁数が２桁の既存の表示部を用いて３桁以上のトラック数を表示することができ、また、この表示部に再生するオーディオデータが圧縮オーディオデータであるか否かを表示することができる情報記録媒体再生装置を提供することを目的とする。
【０００８】
【課題を解決するための手段】
上記の課題を解決するために、本願の請求項１記載の発明は、情報記録媒体に記録されている圧縮オーディオデータ及び非圧縮オーディオデータを再生する再生部を備えた情報記録媒体再生装置において、非圧縮オーディオデータのトラックナンバーを表示する第１の表示領域、非圧縮オーディオデータの再生時間の分の値を表示する第２の表示領域、非圧縮オーディオデータの再生時間の秒の値を表示する第３の表示領域及び非圧縮オーディオデータのフレームの値を表示する第４の表示領域を備えた表示部と、前記再生部が再生したオーディオデータが圧縮オーディオデータであるかまたは非圧縮オーディオデータであるかを判別する判別部とを有し、前記判別部が圧縮オーディオデータであると判別した場合、前記表示部は前記第１の表示領域及び前記第２の表示領域に圧縮オーディオデータのトラックナンバーを表示し、前記第３の表示領域に圧縮オーディオデータの再生時間の分の値を表示し、前記第４の表示領域に圧縮オーディオデータの再生時間の秒の値を表示することを特徴とする。
【０００９】
また、本願の請求項２記載の発明は、請求項１記載の情報記録媒体再生装置において、前記判別部が圧縮オーディオデータであると判別した場合、前記表示部は、前記再生部が再生しているオーディオデータが圧縮オーディオデータであることを示す表示をすることを特徴とする。
【００１０】
【発明の実施の形態】
以下、本発明の実施の形態を図面に基づいて説明する。図１は、本発明による情報記録媒体再生装置の一実施例のブロック図である。本発明の一実施例では、情報記録媒体再生装置をMP３圧縮技術対応の圧縮オーディオデータが記録されたCD-RやCD-RW等及びCD-DAが再生可能なCDプレ−ヤとして説明する。
【００１１】
図１において、１は光ディスク、２はスピンドルモータ、３はサーボ制御部、４は光ピックアップ、５は再生アンプ、６は信号処理部、７は伸張処理部、８はバッファメモリ、９はデジタルアナログ変換器（DAC:Digital to Analog Converter）、１０はオーディオアンプ、１１は制御部、１２は表示部、１３は操作部を示す。なお、光ディスク１は、CD-DA、CD-RまたはCD-RW等である。
【００１２】
図２は、本実施例の情報記録媒体再生装置の表示部１２の構成を示す図である。図１に示すように、制御部１１に接続された表示部１２は、非圧縮オーディオデータのトラックナンバーを２桁で表示するトラックナンバー表示領域２１、非圧縮オーディオデータの再生時間の分の値を２桁で表示する分表示領域２２、非圧縮オーディオデータの再生時間の秒の値を２桁で表示する秒表示領域２３及び非圧縮オーディオデータのフレームの値を２桁で表示するフレーム表示領域２４を備えている。また、図１に示すように、制御部１１に接続された操作部１３は、再生ボタン、再生一時停止ボタン、再生停止ボタン、早送りボタン、早戻しボタン及びトラックサーチボタン等を備えている。
【００１３】
制御部１１は、光ディスク１に記録されているオーディオデータが非圧縮オーディオデータか圧縮オーディオデータかを判別する判別部を備えている。判別部は、非圧縮オーディオデータか圧縮オーディオデータかの判別をターンテーブルに装着された光ディスク１のTOC情報中に絶対時間（分、秒、フレーム）を示す目次情報が記録されているか後述するアドレス情報が記録されているかを検出することにより行う。制御部１１は、上記目次情報を再生した場合、光ディスク１に記録されているオーディオデータが非圧縮オーディオデータであると判別する。圧縮オーディオデータが記録された光ディスク１のTOC情報中には、上記絶対時間を示す目次情報が記録されずに、圧縮オーディオデータのファイルの位置を示すアドレス情報が記録されている。制御部１１は、このアドレス情報を再生した場合、光ディスク１に記録されているオーディオデータが圧縮オーディオデータであると判別する。
【００１４】
また、制御部１１は、圧縮オーディオデータを再生する場合、各ファイルの圧縮オーディオデータの再生時間をカウントし、表示部１２にカウントした再生時間を表示させる制御をする。
【００１５】
スピンドルモータ２に固定されたターンテーブルは、光ディスク１を装着する。操作部１３から再生開始の指示が入力されると、サーボ制御部２は、スピンドルモータ２を所定の回転速度で回転駆動させる制御及び光ピックアップ４から照射するレーザ光を光ディスク１のピット列に正しくトレースするために、フォーカスサーボ回路とトラッキングサーボ回路を制御する。
【００１６】
光ディスク１に非圧縮オーディオデータが記録されているとき、光ピックアップ４は、レーザ光を光ディスク１へ照射し、光ディスク１に記録されているTOC情報を再生する。制御部１１は、TOC情報中の絶対時間情報を示す目次情報を再生した場合、光ディスク１に記録されたオーディオデータが非圧縮オーディオデータであると判別する。光ピックアップ４が再生したデジタルオーディオデータは、再生アンプ５により波形整形及び増幅されて信号処理部６に入力する。信号処理部６は、デジタルオーディオデータの復調、フォーカスエラー信号やトラッキングエラー信号等のエラー信号、同期信号の抜き出しなどをして伸張処理部７に入力する。制御部１１の判別部が非圧縮オーディオデータであると判別した場合、制御部１１は伸張処理部７に伸張処理をしないよう制御してデジタルオーディオデータをバッファメモリ８に入力する。バッファメモリ８に記憶されたデジタルオーディオデータは、DAC９に入力する。DAC９は、デジタルオーディオデータをアナログオーディオ信号へ変換して、オーディオアンプ１０に入力する。オーディオアンプ１０は、アナログオーディオ信号を増幅して、スピーカ等から出力する。
【００１７】
他方、光ディスク１に圧縮オーディオデータが記録されている場合、光ピックアップ４は、レーザ光を光ディスク１へ照射し、光ディスク１に記録されているTOC情報を再生する。制御部１１は、アドレス情報を再生することにより、光ディスク１に記録されたオーディオデータが圧縮オーディオデータであると判別する。光ピックアップ４が再生したデジタルオーディオデータは、再生アンプ５により波形整形及び増幅されて信号処理部６に入力する。信号処理部６は、フォーカスエラー信号やトラッキングエラー信号等のエラー信号、同期信号の抜き出しなどをして伸張処理部７に入力する。伸張処理部７は、圧縮されたデジタルオーディオデータを伸張処理してバッファメモリ８に入力する。バッファメモリ８に記憶されたデジタルオーディオデータは、DAC９に入力する。DAC９は、デジタルオーディオデータをアナログオーディオ信号へ変換して、オーディオアンプ１０に入力する。オーディオアンプ１０は、アナログオーディオ信号を増幅して、スピーカ等から出力する。
【００１８】
図３は、本実施例の情報記録媒体再生装置の表示部によるトラックナンバーと再生時間の表示方法について説明するフローチャートである。また、図４は、圧縮オーディオデータを再生しているときの表示部１２の表示を示す図であり、図５は、非圧縮オーディオデータを再生しているときの表示部１２の表示を示す図である。
【００１９】
図３のステップ１は、ターンテーブルに光ディスク１が装着され、操作部１３の再生開始ボタンが押され、制御部１１が、光ディスク１を再生する制御をするステップである。制御部１１は、光ディスク１を再生するために、スピンドルモータ２，サーボ制御回路３及び光ピックアップ４を制御する。
【００２０】
ステップ２は、光ディスク１に記録されているオーディオデータが非圧縮オーディオデータか圧縮オーディオデータかを制御部１１が判別するステップである。制御部１１がオーディオデータが圧縮オーディオデータであると判別したときは、ステップ３に進む。制御部１１がオーディオデータが非圧縮オーディオデータであると判別したときは、ステップ５に進む。制御部１１の判別部は、光ディスク１のTOC情報中の絶対時間情報を示す目次情報を再生した場合、非圧縮オーディオデータであると判別し、アドレス情報を再生した場合、非圧縮オーディオデータであると判別する。
【００２１】
ステップ３は、制御部１１が表示部１２に対して、現在、再生している圧縮オーディオデータのトラックナンバーをトラックナンバー表示領域２１と分表示領域２２に表示する制御をするステップである。例えば、現在、再生している圧縮オーディオデータのトラックが、光ディスク１のプログラム領域の内周から外周に向かって、１２０番目に記録されている圧縮オーディオデータのファイルであるとき、図４（a）に示すように、トラックナンバー表示領域２１と分表示領域２２に「１２０」のトラックナンバーを表示する。
【００２２】
ステップ４は、制御部１１が表示部１２に対して、現在、再生している圧縮オーディオデータのトラックの再生時間の分の値を秒表示領域２３に表示し、圧縮オーディオデータのトラックの再生時間の秒の値をフレーム表示領域２４に表示する制御をするステップである。例えば、図４（a）に示すように、制御部１１が現在、再生しているトラックの再生時間をカウントして、再生時間の分が「４」分とき、秒表示領域２３に「４」を表示し、再生時間の秒が「３０」秒とき、フレーム表示領域２４に「３０」を表示する。
【００２３】
ステップ５は、制御部１１が表示部１２に対して、現在、再生している非圧縮オーディオデータのトラックナンバーをトラックナンバー表示領域２１に表示し、非圧縮オーディオデータの再生時間の分の値を分表示領域２２に表示し、非圧縮オーディオデータの再生時間の秒の値を秒表示領域２３に表示し、非圧縮オーディオデータのフレームの値をフレーム表示領域２４に表示する制御をする。現在、再生しているトラックのサブコードデータから制御部１１は、トラックナンバー、再生時間の分と秒、フレームの値を表示部１２に表示する制御をする。このサブコードデータには、トラックナンバー、再生しているトラックの再生時間の分と秒、フレームの値等の情報が含まれている。図５に示すように、例えば、トラックナンバー「１２」をトラックナンバー表示領域２１に表示し、再生時間の分の値「２」を分表示領域２２に表示し、再生時間の秒の値「３４」を秒表示領域２３に表示し、フレームの値「５６」をフレーム表示領域２４に表示する。また、分表示領域２２に表示した再生時間の分の値の右下に「M」（Minute）を表示し、秒表示領域２３に表示した再生時間の秒の値の右下に「S」（Second）を表示し、フレーム表示領域２４に表示したフレームの値の右下に「F」（Frame）を表示する。
【００２４】
圧縮オーディオデータを再生するときは、TOC情報中に絶対時間（分、秒、フレーム）を示す目次情報が記録されていないため、フレームの値をフレーム表示部２４に表示することができない。このため、秒表示領域２３に圧縮オーディオデータの再生時間の分の値を表示し、フレーム表示領域２４に圧縮オーディオデータの再生時間の秒の値を表示することで、トラックナンバーが３桁の場合でもトラックナンバー表示領域２１と分表示領域２２にトラックナンバーを正しく表示することができる。
【００２５】
次に、本実施例の情報記録媒体再生装置の表示部による他の表示方法について説明する。
【００２６】
図３のフローチャートのステップ２において、制御部１１が圧縮オーディオデータと判別したときに、再生するオーディオデータが圧縮オーディオデータであることを示す表示をする制御をする。現在、再生するオーディオデータが圧縮オーディオデータであることを示す表示として、例えば図４（b）に示すように、トラックナンバー表示領域２１と分表示領域２２に表示するトラックナンバーの前に「C」（Compresion）を表示する。または、図４（c）に示すように、秒表示領域２３に表示した再生時間の分の値の右上に「M」を表示し、フレーム表示領域２４に表示した再生時間の秒の値の右上に「S」を表示する。若しくは、図４（d）に示すように、「C」と「M」及び「S」を表示する。秒表示領域２３に「M」、フレーム表示領域２４に「S」を表示することにより、再生時間の分と秒の値を表示する位置が変わったこと確認することができる。
【００２７】
また、圧縮オーディオデータを再生していることを示す「C」を表示することによりユーザは、現在、再生しているオーディオデータが非圧縮オーディオデータか圧縮オーディオデータかを表示部１２による表示から容易に区別することができる。
【００２８】
なお、上述の実施形態では、MP３圧縮技術の圧縮技術に基づいて説明したが、他の圧縮方法により圧縮されたオーディオデータを再生する再生装置でもよい。
【００２９】
また、上述の実施形態では、情報記録媒体としてCD-RやCD-RW等の光ディスクについて説明したが、光ディスクに限らず、メモリカードやメモリスティック等でもよく、メモリカードやメモリスティック等が再生可能な再生装置でもよい。
【００３０】
【発明の効果】
本発明の情報記録媒体再生装置によれば、圧縮オーディオデータが記録された情報記録媒体を再生する場合、トラック数の表示桁数が２桁の表示部を用いて３桁以上のトラック数を表示することができ、また、この表示部に再生するオーディオデータが圧縮オーディオデータであるか否かを表示することができる情報記録媒体再生装置を提供することができる。
【図面の簡単な説明】
【図１】本発明の実施例の情報記録媒体再生装置を示すブロック図。
【図２】情報記録媒体再生装置の表示部の構成を示す図。
【図３】本実施例の表示方法について説明するフローチャート。
【図４】本実施例の圧縮オーディオデータを再生しているときの表示例を示す図。
【図５】本実施例の非圧縮オーディオデータを再生しているときの表示例を示す図。
【符号の説明】
１    光ディスク
２    スピンドルモータ
３    サーボ制御部
４    光ピックアップ
５    再生アンプ
６    信号処理部
７    バッファメモリ
８    伸張処理部
９    デジタルアナログ変換器
１０    オーディオアンプ
１１    制御部
１２    表示部
１３    操作部
２１    トラックナンバー表示領域
２２    分表示領域
２３    秒表示領域
２４    フレーム表示領域
【図１】
0003780480.tif 000002
【図２】
0003780480.tif 000003
【図３】
0003780480.tif 000004
【図４】
0003780480.tif 000005
【図５】
0003780480.tif 000006